(57)【要約】【課題】  処理の実行において車両に搭載される各種装置に有用な車載用電子制御装置を提供する。【解決手段】  運転席及び助手席の乗員の機械的入力操作を可能にする運転席側入力部２１と助手席側入力部２２、運転席及び助手席の乗員の音声を区別して取得し個別の音声入力操作を可能にする音声入力部２３、運転席及び助手席の乗員に対してそれぞれの入力操作に対する処理結果を個別に表示する運転席側表示部３１と助手席側表示部３２、運転席及び助手席の乗員それぞれの入力操作に対する処理結果を個別に音声出力する音声処理部４１、音声出力を運転席及び助手席の乗員に向けてそれぞれ出力する音声出力部４２を備えて、運転席側処理部１１及び助手席側処理部１２により、運転席及び助手席の乗員による入力操作を個別に処理すると共に、一方の入力操作が中断された場合には、処理内容変更手段１３により操作者の意思を確認して処理を他方に継続して実行させる。【選択図】  図１
2005350018.tif 000002
【特許請求の範囲】
【請求項１】
外部からの人為的な複数の入力操作を独立して同時に実行可能な入力手段と、
前記入力手段による複数の入力操作をそれぞれ個別に処理可能な処理手段と、
前記複数の入力操作に対する前記処理手段によるそれぞれの処理結果を処理毎に個別に表示可能な単一の表示手段と
を備えることを特徴とする車載用電子制御装置。
【請求項２】
前記表示手段が、１つの表示画面を複数に分割して表示することにより、前記処理手段により個別に処理されたそれぞれの処理結果を処理毎に個別に表示する
ことを特徴とする請求項１に記載の車載用電子制御装置。
【請求項３】
前記入力手段が、外部からの人為的な複数の機械的入力操作を独立して同時に実行可能である
ことを特徴とする請求項１、または請求項２に記載の車載用電子制御装置。
【請求項４】
前記入力手段が、
複数のマイクロフォンを用いたマイクロフォンアレイを備え、
音声による複数の入力操作を独立して同時に実行する
ことを特徴とする請求項１、または請求項２に記載の車載用電子制御装置。
【請求項５】
前記処理手段が、前記複数の入力操作の中の任意の１つに対して実行する処理を、他の入力操作に対して実行する処理に継続して実行させる処理内容変更手段を備える
ことを特徴とする請求項１から請求項４のいずれかに記載の車載用電子制御装置。
【請求項６】
前記複数の入力操作に対する前記処理手段によるそれぞれの処理結果を処理毎に個別に音声出力する音声出力手段を備え、
前記音声出力手段が、前記処理手段によるそれぞれの処理結果に前記複数の入力操作に応じたそれぞれ異なる処理を施して音声出力する
ことを特徴とする請求項１から請求項５のいずれかに記載の車載用電子制御装置。
【請求項７】
前記音声出力手段が、前記処理手段によるそれぞれの処理結果を、前記複数の入力操作に応じた異なる音質もしくは音量で音声出力する
ことを特徴とする請求項６に記載の車載用電子制御装置。
【請求項８】
前記音声出力手段が、
複数のスピーカを用いたスピーカアレイを備え、
前記処理手段によるそれぞれの処理結果に前記スピーカアレイにより前記複数の入力操作に応じた指向性を与えて音声出力する
ことを特徴とする請求項６に記載の車載用電子制御装置。
【発明の詳細な説明】
【技術分野】
【０００１】
本発明は、外部からの入力操作の処理を実行する車載用電子制御装置に関する。
【背景技術】
【０００２】
従来、外部からの入力操作の処理を実行する車載用電子制御装置には、例えば車両用のナビゲーション装置、あるいはナビゲーション装置に利用される音声認識装置や表示装置等がある。
具体的には、車両用のナビゲーション装置の代表的なものに、前席用の操作手段と後席用の操作手段とを備えて、車両が走行中に後席用の操作手段から操作が入力された場合には、表示装置にナビゲーション画面と後席用の操作手段からの操作に対する操作画面とを分割表示するものがある。これにより、走行中の車両において前席の運転者が必要とするナビゲーション画面と、運転には関係のない後席の乗員が自由に行う操作時の操作画面とを両立して表示し、双方にそれぞれ必要な情報を提供することができる（例えば、特許文献１参照。）。
【０００３】
また、音声認識装置の代表的なものに、複数のマイクロフォンを用いたマイクロフォンアレイを備え、マイクロフォンアレイの指向特性を利用して、入力された複数の音声を分離し、必要な音声のみを抽出して処理するものがある。これにより、例えば該音声認識装置を車室内で利用した場合、運転席と助手席の乗員の発話を区別して処理することが可能となる（例えば、特許文献２参照。）。
【０００４】
更に、表示装置の代表的なものに、運転席と助手席との間の領域で、かつ運転席と助手席とから略等しい距離に設けられた表示装置と、運転席乗員用操作手段と助手席乗員用操作手段とを備えて、運転席乗員用操作手段が操作されたときは、操作案内表示を表示画面の運転席側に表示させ、助手席乗員用操作手段が操作されたときは、操作案内表示を表示画面の助手席側に表示させるものがある。これにより、運転席乗員と助手席乗員の双方に対し、操作案内表示に係る視認性の向上及び操作利便性の向上を図ることが可能となる（例えば、特許文献３参照。）。
【特許文献１】特開２００３−２３１４２７号公報
【特許文献２】特開２００３−１１４６９９号公報
【特許文献３】特開２００３−１９９２７号公報
【発明の開示】
【発明が解決しようとする課題】
【０００５】
ところで、従来の装置では、入力の処理や操作自体の処理、及び表示の処理は、同時並行して複数処理できるものではなく、例えば２つの内の一方を選択して処理するものであり、全く関連のない独立した制御ができないために利用者が不便を感じる時があるという問題がある。具体的には、例えば運転席と助手席の乗員が違う観点からお互いに目的地を検索して、それから最終的な目的地を決定するという状況は、一般的には良くあるものの、従来の装置では違う目的地を同時進行して入力する等の処理ができないため、運転席と助手席の乗員が、同時進行して違う目的地を検索することもできず、このような場合に運転席と助手席の乗員は不便を感じることになる。
【０００６】
また、従来の装置では、車内環境ノイズにはある程度強くても、助手席の乗員の音声等は、例えば認識したい運転席の乗員の音声と同じ周波数帯域であるため、助手席の乗員が発話していない時にしか運転席の乗員は音声操作ができないという問題もある。
また、車両に複数の乗員が乗車している場合、乗員同士が会話するのは自然であって、会話がとぎれても何時助手席の乗員が発話するかは予測できず、装置自体が音声操作のタイミングを見つけるのは難しいという問題があった。
【０００７】
本発明は、上記課題に鑑みてなされたもので、処理の実行において車両に搭載される各種装置に有用な車載用電子制御装置を提供することを目的とする。
【課題を解決するための手段】
【０００８】
上記課題を解決するために、請求項１の発明に係る車載用電子制御装置は、外部からの人為的な複数の入力操作を独立して同時に実行可能な入力手段（例えば後述する実施例の入力手段２）と、前記入力手段による複数の入力操作をそれぞれ個別に処理可能な処理手段（例えば後述する実施例の処理手段１）と、前記複数の入力操作に対する前記処理手段によるそれぞれの処理結果を処理毎に個別に表示可能な単一の表示手段（例えば後述する実施例の表示手段３）とを備えることを特徴とする。
【０００９】
以上の構成を備えた車載用電子制御装置は、入力手段により入力される独立した外部からの複数の人為的な入力操作を、処理手段により個別に処理すると共に、処理手段により個別に処理されたそれぞれの処理結果を表示手段に処理毎に個別に表示することで、複数の人為的な入力操作を複数同時に処理すると共に処理結果を複数同時に表示することができる。
【００１０】
請求項２の発明に係る車載用電子制御装置は、請求項１に記載の車載用電子制御装置において、前記表示手段が、１つの表示画面を複数に分割して表示することにより、前記処理手段により個別に処理されたそれぞれの処理結果を処理毎に個別に表示することを特徴とする。
【００１１】
以上の構成を備えた車載用電子制御装置は、１つの表示画面を複数に分割して表示することで、単一の表示手段でも処理手段により個別に処理されたそれぞれの処理結果を処理毎に個別に表示することができる。
【００１２】
請求項３の発明に係る車載用電子制御装置は、請求項１、または請求項２に記載の車載用電子制御装置において、前記入力手段が、外部からの人為的な複数の機械的入力操作を独立して同時に実行可能であることを特徴とする。
【００１３】
以上の構成を備えた車載用電子制御装置は、外部からの人為的な複数の機械的入力操作を独立して同時に実行する入力手段を用いることで、複数の利用者に複数の機械的な入力操作を同時に実行させることができる。
【００１４】
請求項４の発明に係る車載用電子制御装置は、請求項１、または請求項２に記載の車載用電子制御装置において、前記入力手段が、複数のマイクロフォン（例えば後述する実施例のマイクロフォン２４ａ、２４ｂ、２４ｃ、２４ｄ）を用いたマイクロフォンアレイ（例えば後述する実施例のマイクロフォンアレイ２４）を備え、音声による複数の入力操作を独立して同時に実行することを特徴とする。
【００１５】
以上の構成を備えた車載用電子制御装置は、マイクロフォンアレイを備えて音声による複数の入力操作を独立して同時に実行する入力手段を用いることで、複数の利用者に複数の音声入力操作を同時に１つの入力手段で実行させることができる。
【００１６】
請求項５の発明に係る車載用電子制御装置は、請求項１から請求項４のいずれかに記載の車載用電子制御装置において、前記処理手段が、前記複数の入力操作の中の任意の１つに対して実行する処理を、他の入力操作に対して実行する処理に継続して実行させる処理内容変更手段（例えば後述する実施例の処理内容変更手段１３）を備えることを特徴とする。
【００１７】
以上の構成を備えた車載用電子制御装置は、処理手段が、複数の入力操作の中の任意の１つに対して実行する処理を、処理内容変更手段により他の入力操作に対して実行する処理に継続して実行させることで、複数の入力操作のいずれか１つが中止されても、中止された操作に係る処理を他の入力操作により継続して実行することができる。
【００１８】
請求項６の発明に係る車載用電子制御装置は、請求項１から請求項５のいずれかに記載の車載用電子制御装置において、前記複数の入力操作に対する前記処理手段によるそれぞれの処理結果を処理毎に個別に音声出力する音声出力手段（例えば後述する実施例の音声出力手段４）を備え、前記音声出力手段が、前記処理手段によるそれぞれの処理結果に前記複数の入力操作に応じたそれぞれ異なる処理を施して音声出力することを特徴とする。
【００１９】
以上の構成を備えた車載用電子制御装置は、処理手段によるそれぞれの処理結果を処理毎に個別に音声出力する音声出力手段が、処理手段によるそれぞれの処理結果に複数の入力操作に応じたそれぞれ異なる処理を施して音声出力することで、複数の入力操作をそれぞれ実行した複数の利用者に音声出力された処理結果を、該処理結果に施された処理により識別させることができる。
【００２０】
請求項７の発明に係る車載用電子制御装置は、請求項６に記載の車載用電子制御装置において、前記音声出力手段が、前記処理手段によるそれぞれの処理結果を、前記複数の入力操作に応じた異なる音質もしくは音量で音声出力することを特徴とする。
【００２１】
以上の構成を備えた車載用電子制御装置は、音声出力手段が、処理手段によるそれぞれの処理結果を、複数の入力操作に応じた異なる音質もしくは音量で音声出力することで、複数の入力操作をそれぞれ実行した複数の利用者に向けて、それぞれの処理結果の出力音声を区別して出力することができる。
【００２２】
請求項８の発明に係る車載用電子制御装置は、請求項６に記載の車載用電子制御装置において、前記音声出力手段が、複数のスピーカを用いたスピーカアレイ（例えば後述する実施例の音声出力部４２）を備え、前記処理手段によるそれぞれの処理結果に前記スピーカアレイにより前記複数の入力操作に応じた指向性を与えて音声出力することを特徴とする。
【００２３】
以上の構成を備えた車載用電子制御装置は、音声出力手段が、複数のスピーカを用いたスピーカアレイにより、処理手段によるそれぞれの処理結果に複数の入力操作に応じた指向性を与えて音声出力することで、複数の入力操作をそれぞれ実行した複数の利用者の存在する方向に向けて、それぞれの処理結果の出力音声を区別して出力することができる。
【発明の効果】
【００２４】
請求項１に記載の車載用電子制御装置によれば、複数の人為的な入力操作を複数同時に処理すると共に処理結果を複数同時に表示することができる。
従って、例えば複数の利用者が操作の順番待ちをする必要がなく、自由に操作を実行することができると共に、複数の処理を同時に操作可能なため、異なる条件での入力結果を容易に比較できる等、処理の実行において車両に搭載される各種装置に有用な車載用電子制御装置を実現することができるという効果が得られる。
【００２５】
請求項２に記載の車載用電子制御装置によれば、単一の表示手段でも処理手段により個別に処理されたそれぞれの処理結果を処理毎に個別に表示することができる。
従って、表示装置を複数用意する必要がなく、部品点数を削減することができるので、部品コストや製造コストを削減することができるという効果が得られる。また、画面を分割して表示するので、例えば入力手段にタッチパネルを利用した場合に１つのタッチパネルによりそれぞれの入力ができる等、入力手段の適用に自由度を与えられるという効果が得られる。
【００２６】
請求項３に記載の車載用電子制御装置によれば、複数の利用者に複数の機械的な入力操作を同時に実行させることができる。
従って、複数の利用者がお互いに干渉せずに入力操作を実行することが可能になるという効果が得られる。
【００２７】
請求項４に記載の車載用電子制御装置によれば、複数の利用者に複数の音声入力操作を同時に１つの入力手段で実行させることができる。
従って、複数の利用者がお互いに干渉せずに入力操作を実行することが可能になると共に、１つの入力手段で複数同時入力が可能なため、部品点数を削減することができるので、部品コストや製造コストを削減することができるという効果が得られる。
【００２８】
請求項５に記載の車載用電子制御装置によれば、複数の入力操作のいずれか１つが中止されても、他の入力操作から中止された操作に係る処理を継続して実行することができる。
従って、例えば運転席の乗員が入力操作を実行している途中で車両の走行を開始して入力操作を継続できなくなった場合でも、助手席の乗員がその入力操作を引継ぐ等、臨機応変に複数の入力操作の処理を実行することで、利用者の利便性を向上させることができるという効果が得られる。
【００２９】
請求項６に記載の車載用電子制御装置によれば、複数の入力操作をそれぞれ実行した複数の利用者に音声出力された処理結果を、該処理結果に施された処理により識別させることができる。
従って、複数の利用者が同時に入力操作を実行した場合でも、各利用者が処理結果を聞き間違えることを防止して、各利用者に適切に入力操作の実行を継続させ、利用者の利便性を向上させることができるという効果が得られる。
【００３０】
請求項７に記載の車載用電子制御装置によれば、複数の入力操作をそれぞれ実行した複数の利用者に向けて、それぞれの処理結果の出力音声を区別して出力することができる。
従って、各利用者が処理結果を聞き間違えることを防止する場合に、処理結果毎に音声出力された音声の音質もしくは音量を変えて区別することで、直感的に処理結果に関する出力音声を利用者に識別させることができ、各利用者が処理結果を聞き間違えることをより的確に防止することができるという効果が得られる。
【００３１】
請求項８に記載の車載用電子制御装置によれば、複数の入力操作をそれぞれ実行した複数の利用者の存在する方向に向けて、それぞれの処理結果の出力音声を区別して出力することができる。
従って、各利用者が処理結果を聞き間違えることを防止する場合に、処理結果毎に音声出力された音声の指向性を変えて対応する利用者の方向のみに出力することで、利用者に必要な出力音声のみを聞かせることができ、各利用者が処理結果を聞き間違えることをより的確に防止することができるという効果が得られる。
【発明を実施するための最良の形態】
【００３２】
以下、図面を参照して本発明の実施例について説明する。
【実施例】
【００３３】
（全体構成）
図１は、本発明の一実施例の車載用電子制御装置の構成を示すブロック図である。本実施例の車載用電子制御装置は、例えば車両に搭載されて複数の乗員の個別操作による複数の入力操作をそれぞれ個別に処理するのに有用であるが、本実施例では説明の簡単化のために、運転席と助手席の２人の乗員の個別操作による入力操作を処理する場合を説明する。
図１において、符号１は、本実施例の車載用電子制御装置に対する入力操作を処理する処理手段であって、処理手段１には、車両の乗員が入力操作を行うための入力手段２と、乗員による入力操作や、入力操作に対する処理結果を画面表示により表示する表示手段３と、乗員による入力操作や、入力操作に対する処理結果を音声出力により表示する音声出力手段４とが接続されている。
【００３４】
また、処理手段１について詳細に説明すると、処理手段１は、運転席の乗員による入力操作を処理する運転席側処理部１１と、同様に助手席の乗員による入力操作を処理する助手席側処理部１２と、運転席側処理部１１により実行される処理を助手席側処理部１２により実行される処理に引継いだり、逆に助手席側処理部１２により実行される処理を運転席側処理部１１により実行される処理に引継いだりというように、複数の入力操作の中の任意の１つに対して実行する処理を、他の入力操作に対して実行する処理に継続して実行させる処理内容変更手段１３とを備えている。なお、処理手段１において、運転席側処理部１１と助手席側処理部１２は、お互いに独立して個別に処理を実行するものとする。また、処理手段１の動作については詳細を後述する。
【００３５】
また、入力手段２は、運転席の乗員の機械的入力操作を可能にする運転席側入力部２１と、同様に助手席の乗員の機械的入力操作を可能にする助手席側入力部２２と、運転席の乗員と助手席の乗員の音声を両方取得して両者の個別の音声入力操作を可能にする音声入力部２３とを備えている。
ここでより具体的に、運転席側入力部２１や助手席側入力部２２について説明すると、運転席側入力部２１や助手席側入力部２２は、表示手段３の画面に設けられたタッチパネル等の入力デバイスや、車両のインストルメントパネルやセンタコンソールに設けられた各種スイッチ類を備えた機械的操作による入力機器である。
【００３６】
運転席側入力部２１や助手席側入力部２２が、例えば表示手段３の画面に設けられたタッチパネルの場合は、表示手段３の表示画面の一例を示す図２のように、表示手段３の画面上に運転席側入力部２１及び助手席側入力部２２として２分割されたタッチパネルとして設けられ、一方インストルメントパネルやセンタコンソールに設けられた入力機器の場合は、それぞれ運転席及び助手席の近傍でそれぞれの乗員が操作しやすい位置に設けられる。なお、入力手段２において、運転席側入力部２１と助手席側入力部２２は、お互いに独立して同時に入力操作を取得し、運転席側入力部２１は処理手段１の運転席側処理部１１に、助手席側入力部２２は処理手段１の助手席側処理部１２にそれぞれ入力操作を通知するものとする。
【００３７】
また、音声入力部２３の構成を示す図３と、運転席の乗員の音声と助手席の乗員の音声とを区別して取得する原理を示す図４とを参照して、運転席の乗員と助手席の乗員の両者の音声入力操作を可能にする仕組みを具体的に説明する。まず、音声入力部２３の構成を説明すると、音声入力部２３は、図３に示すように、複数のマイクロフォンを用いたマイクロフォンアレイ２４及びマイクロフォンアレイ２４が出力する音声を処理するアレイ処理部２５とを備えている。マイクロフォンアレイ２４は、例えば等間隔に並んだ４個のマイクロフォン２４ａ、２４ｂ、２４ｃ、２４ｄを備えたマイクロフォンアレイであって、アレイ処理部２５には、マイクロフォンアレイ２４の指向性を制御して、運転席の乗員の音声と助手席の乗員の音声とを同時に区別して取得するための遅延回路が備えられている。
【００３８】
一方、運転席の乗員の音声と助手席の乗員の音声とを区別して取得する仕組みを説明すると、マイクロフォンアレイ２４を運転席の乗員と助手席の乗員の中間の領域の前方（車両のインストルメントパネルの中央付近）に、マイクロフォンを運転席及び助手席の乗員の方へ向けて設置した場合、右側に運転席がある車両では、図４（ａ）に示すように、運転席の乗員の音声はマイクロフォンアレイ２４を正面に向けた場合、左側の方向からマイク列に対して相対角θ１で入射される。この時、運転席からの距離が離れているマイクロフォン程音声の到達が遅れるので、運転席の乗員の音声は４個のマイクロフォン２４ａ、２４ｂ、２４ｃ、２４ｄにそれぞれ３Ｄ１、２Ｄ１、Ｄ１、０だけ遅延して入射する。なお、Ｄ１は、４個のマイクロフォン２４ａ、２４ｂ、２４ｃ、２４ｄのそれぞれの間隔Ｘと相対角θ１とから下記（１）式で算出される。
【００３９】
Ｄ１＝Ｘ・ｓｉｎ（θ１）    ・・・（１）
【００４０】
従って、４個のマイクロフォン２４ａ、２４ｂ、２４ｃ、２４ｄに入射された運転席の乗員の音声「Ａ・ｃｏｓ（ωｔ）」は、マイクロフォン２４ａの出力信号をＯＵＴａ、マイクロフォン２４ｂの出力信号をＯＵＴｂ、マイクロフォン２４ｃの出力信号をＯＵＴｃ、マイクロフォン２４ｄの出力信号をＯＵＴｄとすると、それぞれ下記（２）から（５）式で表される。
【００４１】
ＯＵＴａ＝Ａ・ｃｏｓ（ωｔ＋３・Ｄ１／２πω）    ・・・（２）
【００４２】
ＯＵＴｂ＝Ａ・ｃｏｓ（ωｔ＋２・Ｄ１／２πω）    ・・・（３）
【００４３】
ＯＵＴｃ＝Ａ・ｃｏｓ（ωｔ＋１・Ｄ１／２πω）    ・・・（４）
【００４４】
ＯＵＴｄ＝Ａ・ｃｏｓ（ωｔ）    ・・・（５）
【００４５】
ところで、マイクロフォンアレイにおいて希望の音源の音だけを抽出する場合、音源がマイクロフォンアレイ２４の正面にあり、音源から出力された音声が４個のマイクロフォン２４ａ、２４ｂ、２４ｃ、２４ｄに同一の遅延時間で到達し、４個のマイクロフォン２４ａ、２４ｂ、２４ｃ、２４ｄの出力信号を全て同相で加算できることが理想であるが、音源がマイクロフォンアレイ２４の正面にない場合は、４個のマイクロフォン２４ａ、２４ｂ、２４ｃ、２４ｄの出力信号の遅延時間を合わせて、同相で加算できるようにすれば良い。
【００４６】
従って、上記（２）から（５）式で表される４個のマイクロフォン２４ａ、２４ｂ、２４ｃ、２４ｄの出力信号の遅延時間を合わせるには、図３に示すように、一番遅延時間の多いマイクロフォン２４ａの出力信号ＯＵＴａに合わせて、マイクロフォン２４ｄの出力に「＋３Ｄ１」の遅延回路を挿入してマイクロフォン２４ｄの出力信号ＯＵＴｄを「３Ｄ１」だけ遅延させ、マイクロフォン２４ｃの出力に「＋２Ｄ１」の遅延回路を挿入してマイクロフォン２４ｃの出力信号ＯＵＴｃを「２Ｄ１」だけ遅延させ、マイクロフォン２４ｂの出力に「＋Ｄ１」の遅延回路を挿入してマイクロフォン２４ｂの出力信号ＯＵＴｂを「Ｄ１」だけ遅延させれば良い。これにより、音声入力部２３の出力信号ＯＵＴ１に運転席の乗員の音声が強調された信号が出力される。
【００４７】
また、図４（ｂ）に示すように、助手席の乗員の音声はマイクロフォンアレイ２４を正面に向けた場合、右側の方向からマイク列に対して相対角θ２で入射される。この時、助手席からの距離が離れているマイクロフォン程音声の到達が遅れるので、助手席の乗員の音声は４個のマイクロフォン２４ａ、２４ｂ、２４ｃ、２４ｄにそれぞれ０、Ｄ２、２Ｄ２、３Ｄ２だけ遅延して入射する。なお、Ｄ２は、４個のマイクロフォン２４ａ、２４ｂ、２４ｃ、２４ｄのそれぞれの間隔Ｘと相対角θ２とから下記（６）式で算出される。
【００４８】
Ｄ２＝Ｘ・ｓｉｎ（θ２）    ・・・（６）
【００４９】
従って、同様の原理により、４個のマイクロフォン２４ａ、２４ｂ、２４ｃ、２４ｄの出力信号の遅延時間を合わせて、同相で加算できるようにするには、図３に示すように、一番遅延時間の多いマイクロフォン２４ｄの出力信号ＯＵＴｄに合わせて、マイクロフォン２４ａの出力に「＋３Ｄ２」の遅延回路を挿入してマイクロフォン２４ａの出力信号ＯＵＴａを「３Ｄ２」だけ遅延させ、マイクロフォン２４ｂの出力に「＋２Ｄ２」の遅延回路を挿入してマイクロフォン２４ｂの出力信号ＯＵＴｂを「２Ｄ２」だけ遅延させ、マイクロフォン２４ｃの出力に「＋Ｄ２」の遅延回路を挿入してマイクロフォン２４ｃの出力信号ＯＵＴｃを「Ｄ２」だけ遅延させれば良い。これにより、音声入力部２３の出力信号ＯＵＴ２に助手席の乗員の音声が強調された信号が出力される。なお、音声が運転席と助手席の両方から同時に入力された場合、運転席と助手席の音声の両方に上記の原理を用いることにより、運転席と助手席の音声の同時入力が可能となる。
【００５０】
また、表示手段３は、図２に示すように、例えば運転席側入力部２１及び助手席側入力部２２として２分割されたタッチパネルに対応するように、画面を分割して得られる運転席の乗員に対する表示を行うための運転席側表示部３１と、同様に助手席の乗員に対する表示を行うための助手席側表示部３２とを備える単一の表示手段である。なお、表示手段３において、運転席側表示部３１と助手席側表示部３２は、運転席の乗員による入力操作に対する処理手段１の運転席側処理部１１による処理結果と、助手席の乗員による入力操作に対する処理手段１の助手席側処理部１２による処理結果とを、お互いに独立して同時に表示するものとする。
【００５１】
また、音声出力手段４は、運転席の乗員による入力操作に対する処理手段１の運転席側処理部１１による処理結果と、助手席の乗員による入力操作に対する処理手段１の助手席側処理部１２による処理結果とに、それぞれの入力操作に応じたそれぞれ異なる処理を施して、個別に音声合成処理を用いて音声出力する音声処理部４１と、音声処理部４１の音声出力を、それぞれ運転席の乗員と助手席の乗員に向けて出力する音声出力部４２とを備えている。なお、音声処理部４１の動作については詳細を後述する。
【００５２】
また、音声出力部４２について説明すると、音声出力部４２は、複数のスピーカを用いたスピーカアレイを備え、音声入力部２３とは逆の原理により、音声に指向性を与えて出力する。具体的には、運転席の乗員に対して音声出力するには、音声波の干渉を利用して運転席の乗員の頭のあたりでスピーカアレイから出力された音声の位相がそろい、音声が増幅されるように、焦点とする運転席からアレイ状に並べた各スピーカまでの距離差による音声到達遅延時間を計算し、各スピーカから出力する音声にスピーカ毎の遅延を付加する。同様に、助手席の乗員に対して音声出力するには、焦点とする助手席からアレイ状に並べた各スピーカまでの距離差による音声到達遅延時間を計算し、各スピーカから出力する音声にスピーカ毎の遅延を付加する。
【００５３】
次に、本実施例の動作について図面を参照して説明する。
（操作者独立音声フィードバック処理）
まず、本実施例の車載用電子制御装置において、複数の入力操作に対する処理手段１によるそれぞれの処理結果を処理毎に個別に音声出力を行うための操作者独立音声フィードバック処理について説明する。図５は、本実施例の車載用電子制御装置の処理手段１及び音声出力手段４における操作者独立音声フィードバック処理動作を示すフローチャートである。
【００５４】
図５において、まず処理手段１は、トークスイッチ（図示せず）の押下（トリガ入力）と共に乗員からコマンドが発声された場合（ステップＳ１）、押下されたトークスイッチが運転席側のものか、または助手席側のものか、あるいは音声入力部２３の出力信号ＯＵＴ１から信号が入力されたか、または出力信号ＯＵＴ２から信号が入力されたか等を判定して、運転席の乗員の音声認識を開始するか否かを判定する（ステップＳ２）。
【００５５】
もし、ステップＳ２において、押下されたトークスイッチが運転席側のものであるか、あるいは音声入力部２３の出力信号ＯＵＴ１から信号が入力され、運転席の乗員の音声認識を開始する場合（ステップＳ２のＹＥＳ）、音声出力手段４の音声処理部４１は、運転席の乗員による入力操作に対する音声出力を行うために、音声合成処理を行う際の出力音声として例えば女性の声を選択する（ステップＳ３）。
【００５６】
一方、処理手段１は、運転席側処理部１１において入力された運転席の乗員の音声に対する音声認識処理を実行し（ステップＳ４）、認識結果に基づき出力するフィードバック内容を選択する（ステップＳ５）。
そして、音声出力手段４の音声処理部４１は、選択した女性音声による音声合成処理を行い、処理手段１により選択されたフィードバック内容を女性の音声で音声出力手段４の音声出力部４２から運転席の乗員に向けて出力し（ステップＳ６）、操作者独立音声フィードバック処理を終了する。
【００５７】
また、ステップＳ２において、押下されたトークスイッチが助手席側のものであるか、あるいは音声入力部２３の出力信号ＯＵＴ２から信号が入力され、助手席の乗員の音声認識を開始する場合（ステップＳ２のＮＯ）、音声出力手段４の音声処理部４１は、助手席の乗員による入力操作に対する音声出力を行うために、音声合成処理を行う際の出力音声として例えば男性の声を選択する（ステップＳ７）。
【００５８】
一方、処理手段１は、助手席側処理部１２において入力された助手席の乗員の音声に対する音声認識処理を実行し（ステップＳ８）、認識結果に基づき出力するフィードバック内容を選択する（ステップＳ９）。
そして、音声出力手段４の音声処理部４１は、選択した男性音声による音声合成処理を行い、処理手段１により選択されたフィードバック内容を男性の音声で音声出力手段４の音声出力部４２から助手席の乗員に向けて出力し（ステップＳ１０）、操作者独立音声フィードバック処理を終了する。
【００５９】
（操作者間タスク引継ぎ処理）
次に、本実施例の車載用電子制御装置において、複数の入力操作の中の任意の１つに対して実行する処理を、他の入力操作に対して実行する処理に継続して実行させるための操作者間タスク引継ぎ処理について説明する。ここでは、説明を簡単化するために、一例として、例えば運転席の乗員が入力操作を実行している途中で車両の走行を開始して入力操作を継続できなくなった場合を想定し、処理内容変更手段１３を介して、運転席側処理部１１から助手席側処理部１２へ処理を引継ぐ場合について説明する。
【００６０】
（運転席側処理）
図６は、本実施例の車載用電子制御装置の処理手段１における運転席側処理部１１の操作者間タスク引継ぎ処理動作を示すフローチャートである。
図６において、まず処理内容変更手段１３は、運転席側処理部１１に助手席へのタスク引渡し入力処理を実行させる（ステップＳ２１）。具体的には、運転席側処理部１１は、表示手段３の表示画面の一例を示す図７のように、例えば運転席側処理部１１に対する入力操作が所定時間以上途絶えた場合等に、運転席の乗員にタスク引渡し希望を入力させる「引渡」操作ボタンを運転席側表示部３１に表示し、運転席の乗員がタスク引渡し希望を入力するのを待つ。
【００６１】
そして、運転席の乗員が、運転席側表示部３１上に表示された「引渡」操作ボタンからタスク引渡し希望を入力したら、運転席側処理部１１は、処理内容変更手段１３を介して助手席側処理部１２にタスク引継ぎ命令を出力する（ステップＳ２２）。
また、処理内容変更手段１３は、運転席側処理部１１に助手席へのタスク引渡し出力処理を実行させる（ステップＳ２３）。具体的には、運転席側処理部１１は、表示手段３の表示画面の一例を示す図８のように、運転席側表示部３１に、助手席側処理部１２に対するタスクの引継ぎ依頼を出力する旨のメッセージを表示して、実行中のタスクが運転席側処理部１１から助手席側処理部１２へ引継がれることを運転席の乗員に通知する。なお、実行中のタスクが運転席側処理部１１から助手席側処理部１２へ引き渡されたら、運転席側処理部１１は該タスクを終了する。また、運転席の乗員がタスク引渡しを希望しない場合は、運転席側処理部１１は所定時間後に該タスクを終了する。
【００６２】
（助手席側処理）
一方、図９は、本実施例の車載用電子制御装置の処理手段１における助手席側処理部１２の操作者間タスク引継ぎ処理動作を示すフローチャートである。
図９において、まず処理内容変更手段１３は、助手席側処理部１２に運転席からのタスク引継ぎ命令割込み処理を実行させる（ステップＳ３１）。具体的には、助手席側処理部１２は、表示手段３の表示画面の一例を示す図１０のように、例えば運転席の乗員がタスク引渡し希望を入力した時に、助手席の乗員にタスク引渡しを実行するか否かを入力させる「ＹＥＳ」または「ＮＯ」の操作ボタンを助手席側表示部３２に表示し、助手席の乗員がタスク引渡し希望に対する応答を入力するのを待つ。
【００６３】
そして、助手席の乗員が、助手席側表示部３２上に表示された操作ボタンからタスク引渡し希望に対する応答を入力したら、処理内容変更手段１３は、助手席側処理部１２に運転席側のタスクを引継ぐか否かの承認処理を行わせ（ステップＳ３２）、助手席の乗員に運転席側のタスクを引継ぐ意思がない場合（ステップＳ３２のＮＯ）、処理内容変更手段１３は、助手席側処理部１２にタスクの保存処理を行わせる。具体的には、助手席側処理部１２は、運転席側処理部１１から引継ぎを依頼されたタスクの内容を記録する（ステップＳ３３）と共に、表示手段３の表示画面の一例を示す図１１のように、助手席側表示部３２に、運転席側処理部１１から引継ぎを依頼されたタスクの内容を記録した旨のメッセージを表示して、引継ぎを依頼されたタスクの内容が記録されたことを助手席の乗員に通知する（ステップＳ３４）。
【００６４】
一方、ステップＳ３２において、助手席の乗員に運転席側のタスクを引継ぐ意思がある場合（ステップＳ３２のＹＥＳ）、処理内容変更手段１３は、助手席側処理部１２にタスクの引継ぎ処理を行わせる。具体的には、助手席側処理部１２は、現在実行中のタスクの内容を記録し（ステップＳ３５）、次に処理内容変更手段１３を介して、運転席側処理部１１から引継ぎを依頼されたタスクの内容を取得する（ステップＳ３６）。そして、表示手段３の表示画面の一例を示す図１２のように、助手席側表示部３２に、運転席側処理部１１から引継ぎを依頼されたタスクを引継いだ旨のメッセージを表示して、引継ぎを依頼されたタスクの内容が助手席側処理部１２に引継がれたことを助手席の乗員に通知する（ステップＳ３７）。なお、本実施例では、引渡しにかかわる入力はタッチパネルによる入力操作であるが、音声による入力操作など、適宜変更可能であることは言うまでもない。
【００６５】
（音声操作中の操作者間タスク引継ぎ処理）
次に、本実施例の車載用電子制御装置において、音声操作による複数の入力操作の中の任意の１つに対して実行する処理を、他の入力操作に対して実行する処理に継続して実行させるための音声操作中の操作者間タスク引継ぎ処理について説明する。ここでも、説明を簡単化するために、処理内容変更手段１３を介して、運転席側処理部１１から助手席側処理部１２へ処理を引継ぐ場合について説明する。図１３は、本実施例の車載用電子制御装置における音声操作中の操作者間タスク引継ぎ処理動作を示すタイムチャートである。
【００６６】
図１３において、運転席側処理部１１による運転席側の音声操作に対する音声認識が開始されて（ステップＴ１）音声認識中（ステップＴ２）に、助手席側処理部１２による助手席側の音声操作に対する音声認識が開始されて（ステップＴ３）、運転席側処理部１１による音声認識（ステップＴ２）と助手席側処理部１２による音声認識（ステップＴ４）とが同時認識中に、運転席の乗員がタスク引渡しを希望すると、運転席側処理部１１は、処理内容変更手段１３を介して助手席側処理部１２にタスク引継ぎ命令を出力する（ステップＴ５）。そして、処理内容変更手段１３は運転席側処理部１１をタスク受け入れ待ち状態とさせて待機させる（ステップＴ６）。
【００６７】
一方、処理内容変更手段１３は、助手席側処理部１２に運転席からのタスク引継ぎ命令割込み処理を実行させる（ステップＴ７）。そして、処理内容変更手段１３は、助手席側処理部１２に運転席側のタスクを引継ぐか否かの承認処理を行わせ（ステップＴ８）、助手席の乗員に運転席側のタスクを引継ぐ意思がある場合、処理内容変更手段１３は、運転席側処理部１１にタスクの引渡し処理を行わせる（ステップＴ９）。そして、運転席側処理部１１は該タスクを終了する（ステップＴ１０）。また、処理内容変更手段１３は、助手席側処理部１２にタスク引受け処理を行わせ（ステップＴ１１）、助手席側処理部１２に運転席側の音声操作に対する音声認識を開始させる（ステップＴ１２）。そして、その後は、運転席側の音声操作に従って助手席側処理部１２が処理を実行する（ステップＴ１３）。
【００６８】
なお、上述の実施例において、音声出力部４２は、スピーカアレイではなく、個別のスピーカをそれぞれ運転席近傍及び助手席近傍に設置するようにしても良い。また、説明の簡単化のために、一例として運転席の乗員による入力操作と、助手席の乗員による入力操作とを処理する場合について説明したが、車両の乗員は何人いても良く、その場合は処理手段１における処理部の数と、入力手段２における機械的な入力部の数を増やすと共に、音声入力部２３のマイクロフォンアレイの指向性の制御数、あるいは音声出力部４２のスピーカアレイの指向性の制御数を増やして対応すれば良い。
【００６９】
以上説明したように、本実施例の車載用電子制御装置は、運転席及び助手席の乗員の機械的入力操作を可能にする運転席側入力部２１及び助手席側入力部２２と、運転席及び助手席の乗員の音声を区別して取得し両者の個別の音声入力操作を可能にする音声入力部２３と、運転席及び助手席の乗員に対してそれぞれの入力操作に対する処理結果を個別に表示する運転席側表示部３１及び助手席側表示部３２と、更には運転席及び助手席の乗員それぞれの入力操作に対する処理結果を音声を変えて個別に音声出力する音声処理部４１と、音声出力を運転席及び助手席の乗員に向けてそれぞれ出力する音声出力部４２を備えて、運転席側処理部１１及び助手席側処理部１２により、運転席及び助手席の乗員による入力操作を個別に処理すると共に、一方の入力操作が中断された場合には、処理内容変更手段１３により操作者の意思を確認して処理を他方に継続して実行させる。
【００７０】
これにより、運転席側入力部２１及び助手席側入力部２２により入力される独立した外部からの２つの人為的な機械的入力操作を、運転席側処理部１１及び助手席側処理部１２により個別に処理すると共に、個別に処理されたそれぞれの処理結果を、運転席側表示部３１及び助手席側表示部３２に処理毎に個別に表示することで、運転席及び助手席の乗員による入力操作を同時に処理すると共に処理結果を同時に表示することができる。また、マイクロフォンアレイを備えて音声による入力操作を独立して複数同時に実行する音声入力部２３を用いることで、運転席及び助手席の乗員による独立した２つの音声入力操作も同時に処理すると共に、処理結果を同時に表示することができる。
【００７１】
従って、例えば複数の利用者が操作の順番待ちをする必要がなく、自由に操作を実行することができると共に、複数の処理を同時に操作可能なため、異なる条件での入力結果を容易に比較できる等、処理の実行において車両に搭載される各種装置に有用な車載用電子制御装置を実現することができるという効果が得られる。また、運転席側表示部３１及び助手席側表示部３２を単一の表示装置の画面を分割したものとすることで、表示装置を複数用意する必要がなくなり、部品点数を削減して部品コストや製造コストを削減することができるという効果が得られる。
【００７２】
また、複数の入力操作の中の任意の１つに対して実行する処理を、処理内容変更手段１３により他の入力操作に対して実行する処理に継続して実行させることで、運転席及び助手席の乗員のいずれか一方の入力操作が中止されても、中止された操作に係る処理をもう一方の入力操作により継続して実行することができる。
従って、例えば運転席の乗員が入力操作を実行している途中で車両の走行を開始して入力操作を継続できなくなった場合でも、助手席の乗員がその入力操作を引継ぎ、更に引継いだ入力操作による処理結果を再び運転席側表示部３１に表示させる等、臨機応変に複数の入力操作の処理を実行することで、乗員の利便性を向上させることができるという効果が得られる。
【００７３】
更に、音声処理部４１が、運転席及び助手席の乗員それぞれの入力操作に対する処理結果を、例えば音質を変えて個別に音声出力すると共に、スピーカアレイを備えて音声出力を運転席及び助手席の乗員に向けてそれぞれ出力する音声出力部４２を用いることで、運転席及び助手席の乗員に、音声出力されたそれぞれの処理結果を正しく識別させることができる。
従って、運転席及び助手席の乗員が同時に入力操作を実行した場合でも、運転席及び助手席の乗員がそれぞれの処理結果を聞き間違えることを防止して、運転席及び助手席の乗員に適切に入力操作の実行を継続させ、乗員の利便性を向上させることができるという効果が得られる。
【図面の簡単な説明】
【００７４】
【図１】本発明の一実施例の車載用電子制御装置の構成を示すブロック図である。
【図２】同実施例の車載用電子制御装置の表示手段の表示画面の一例を示す図である。
【図３】同実施例の車載用電子制御装置の音声入力部の構成を示す図である。
【図４】同実施例の車載用電子制御装置において運転席の乗員の音声と助手席の乗員の音声とを区別して取得する原理を示す図である。
【図５】同実施例の車載用電子制御装置の処理手段及び音声出力手段における操作者独立音声フィードバック処理動作を示すフローチャートである。
【図６】同実施例の車載用電子制御装置の処理手段における運転席側処理部の操作者間タスク引継ぎ処理動作を示すフローチャートである。
【図７】同実施例の車載用電子制御装置の表示手段の表示画面の一例を示す図である。
【図８】同実施例の車載用電子制御装置の表示手段の表示画面の一例を示す図である。
【図９】同実施例の車載用電子制御装置の処理手段における助手席側処理部の操作者間タスク引継ぎ処理動作を示すフローチャートである。
【図１０】同実施例の車載用電子制御装置の表示手段の表示画面の一例を示す図である。
【図１１】同実施例の車載用電子制御装置の表示手段の表示画面の一例を示す図である。
【図１２】同実施例の車載用電子制御装置の表示手段の表示画面の一例を示す図である。
【図１３】同実施例の車載用電子制御装置における音声操作中の操作者間タスク引継ぎ処理動作を示すタイムチャートである。
【符号の説明】
【００７５】
１    処理手段
２    入力手段
３    表示手段
４    音声出力手段
１３    処理内容変更手段
２４    マイクロフォンアレイ
２４ａ、２４ｂ、２４ｃ、２４ｄ    マイクロフォン
４２    音声出力部（スピーカアレイ）
【図１】
2005350018.tif 000003
【図２】
2005350018.tif 000004
【図３】
2005350018.tif 000005
【図４】
2005350018.tif 000006
【図５】
2005350018.tif 000007
【図６】
2005350018.tif 000008
【図７】
2005350018.tif 000009
【図８】
2005350018.tif 000010
【図９】
2005350018.tif 000011
【図１０】
2005350018.tif 000012
【図１１】
2005350018.tif 000013
【図１２】
2005350018.tif 000014
【図１３】
2005350018.tif 000015